(57)【要約】【課題】セーター等を効率的に干すことができる物干し具を提供する。【解決手段】吊り部材１１で吊られる上枠体１２から垂下された側網体１３で上枠体１２に連結された下枠体１４の内側に張られた底網体１５を備え，上枠体１２と下枠体１４は，それぞれバネ性を有する線材を有していてかつ，平面視で，長円形または角部が湾曲した矩形に構成されるとともに，上枠体１２において平面視で相対向する少なくとも一対の部位１２ａ同士間に，上枠体１２の形状を保持しかつ上枠体１２のバネ性で張られる帯体１６または紐体が設けられている。吊り部材１１は，角ハンガーのフレームに連結可能な吊り部材である。【選択図】図１
2006230835.tif 000002
【特許請求の範囲】
【請求項１】
吊り部材で吊られる上枠体と，この上枠体から垂下された側網体と，この側網体で上記上枠体に連結された下枠体と，この下枠体の内側に張られた底網体とを備え，前記上枠体の上方が開放されている物干し具であって，
前記上枠体と下枠体は，それぞれバネ性を有する線材を有していてかつ，平面視で，長円形または角部が湾曲した矩形に構成されるとともに，前記上枠体において平面視で相対向する少なくとも一対の部位同士間に，当該上枠体の前記形状を保持しかつ当該上枠体における前記線材のバネ性で張られる帯体または紐体が設けられていることを特徴とする物干し具。
【請求項２】
前記吊り部材は，角ハンガーのフレームに連結可能な吊り部材であることを特徴とする請求項１記載の物干し具。
【発明の詳細な説明】
【技術分野】
【０００１】
本発明は，物干し具に関する。主としてセーターや縫いぐるみを干すのに適した物干し具に関するものである。
【背景技術】
【０００２】
本件出願人は，セーター等を容易に載置することができるとともに，セーター等がずり落ちにくい物干し具として，吊り部材で吊られる上枠体と，この上枠体から垂下された側網体と，この側網体で上記上枠体に連結された下枠体と，この下枠体の内側に張られた底網体とを備え，前記上枠体の上方が開放されている物干し具をすでに提案している（特許文献１）。
【特許文献１】特開２００３−１１１９９５号公報
【発明の開示】
【発明が解決しようとする課題】
【０００３】
上述した従来の物干し具における上枠体と下枠体は，それぞれ平面視で円形であった。したがって，上枠体と下枠体は，バネ性を有する線材を用いて容易に作成することができた。例えば，バネ性を有する線材の両端を結合すれば自由状態で円形をなすワイヤーリングができるので，このワイヤーリングを包むようにバイアステープを逢着すれば平面視円形の枠体を容易に作成できた。
しかしながら，上述した従来の物干し具は，平面視円形であったため，セーター等を効率的に干すことはできない。広げた状態または普通に折り畳んだ状態で平面視円形になるセーター等は殆どないからである。このため，物干し具内においてデッドスペースが生じ，セーター等を効率的に干すことができなかった。
また，平面視略矩形のフレームを有するいわゆる角ハンガーに吊して使用することもできなかった。
この発明の目的は，セーター等を効率的に干すことができる物干し具を提供することにある。
【課題を解決するための手段】
【０００４】
上記目的を達成するため請求項１記載の物干し具は，吊り部材で吊られる上枠体と，この上枠体から垂下された側網体と，この側網体で上記上枠体に連結された下枠体と，この下枠体の内側に張られた底網体とを備え，前記上枠体の上方が開放されている物干し具であって，
前記上枠体と下枠体は，それぞれバネ性を有する線材を有していてかつ，平面視で，長円形（トラック形状を含む）または角部が湾曲した矩形に構成されるとともに，前記上枠体において平面視で相対向する少なくとも一対の部位同士間に，当該上枠体の前記形状を保持しかつ当該上枠体における前記線材のバネ性で張られる帯体または紐体が設けられていることを特徴とする。
【０００５】
この発明の物干し具によれば，上枠体と下枠体は，それぞれ平面視で，長円形または角部が湾曲した矩形に構成されるので，下枠体の内側に張られた底網体の上にセーター等を載置して効率的に干すことができる。
この物干し具および上述した従来の物干し具のように，上枠体に側網体を介して下枠体が連結され，下枠体の内側に底網体が張られた構成の場合，下枠体に関する限り，これを長円形（トラック形状を含む）または角部が湾曲した矩形に構成することは比較的容易である。例えば，底網体を長円形または角部が湾曲した矩形に裁断しておいてその縁部に線材をバイアステープ等で逢着すれば，線材が底網体の縁部の形状に倣うようにして当該底網体を張ることとなるからである。
これに対し，上枠体に関していえば，上枠体の上方は開放されていて，上枠体には網体が張られていないから，下枠体と同様にして上枠体を長円形または角部が湾曲した矩形に構成することは不可能である。
【０００６】
そこで，この物干し具は，上枠体において平面視で相対向する少なくとも一対の部位同士間に，当該上枠体の前記形状を保持しかつ当該上枠体における前記線材のバネ性で張られる帯体または紐体を設けることで，上枠体を長円形または角部が湾曲した矩形に構成した。
【０００７】
このように構成すれば，上枠体を長円形または角部が湾曲した矩形に構成することができるばかりでなく，当該上枠体が有する線材のバネ性を利用して上記帯体または紐体に張力を付与し，その張力でもって，セーター等の干し物を押さえることができるという作用効果が得られる。
【０００８】
望ましくは，前記吊り部材は，角ハンガーのフレームに連結可能な吊り部材とする。
このように構成することで，この発明の物干し具を角ハンガーに吊して使用することができるようになる。
そして，この発明の物干し具は，平面視で長円形または角部が湾曲した矩形となっているので，角ハンガーと組み合わせた状態で，効率よく干し物を干すことができるようになる。
【０００９】
すなわち，例えば，上述した従来の物干し具のように平面視円形であると，これをたとえ角ハンガーに吊したとしても，角ハンガーと物干し具との組み合わせ体を吊す場所は，平面視略矩形の角ハンガーと平面視円形の物干し具とのうちいずれか大きい方のものに依存せざるを得なくなり，他方のものにおいて物干し状態が非効率的になる。
これに対し，この発明の物干し具は平面視で長円形または角部が湾曲した矩形となっているので，これを角ハンガーに吊した際の平面視形状は，角ハンガーのそれに略合致することとなる。
したがって，角ハンガーと組み合わせた状態で，効率よく干し物を干すことができるようになる。
【発明を実施するための最良の形態】
【００１０】
以下，本発明の実施の形態について図面を参照して説明する。
図１は本発明に係る物干し具の一実施の形態を示す概略斜視図，図２（ａ）は平面図，（ｂ）は正面図，（ｃ）は底面図，図３（ａ）は側面図である。
これらの図に示すように，この物干し具１０は，４本の吊り部材１１で吊られる上枠体１２と，この上枠体１２から垂下された側網体１３と，この側網体１３で上記上枠体１２に連結された下枠体１４と，この下枠体１４の内側に張られた底網体１５とを備え，上枠体１２の上方が開放されている。
この物干し具１０は，上枠体１２と側網体１３と下枠体１４と底網体１５とで凹状の載置部Ａ１が形成され，この載置部Ａ１にセーターや縫いぐるみ（吊して干すと形崩れし易い干し物）を載置して干すことができる。
【００１１】
上枠体１２と下枠体１４は，それぞれ後述するバネ性を有する線材を有していてかつ，図２（ａ）に示すように，平面視で長円形（この場合トラック形状）に構成されるとともに，上枠体１２において平面視で相対向する少なくとも一対の部位同士１２ａ，１２ａ間に，当該上枠体１２の前記形状を保持しかつ当該上枠体１２における前記線材のバネ性で張られる帯体１６が設けられている。
上枠体１２と下枠体１４は，図６（ｂ）に示すように，平面視で角部が湾曲した矩形に構成してもよい。
また，帯体１６に代えて紐体を設けてもよい。
【００１２】
図４はこの物干し具の縫製構造を示す概略図で，（ａ）は図２（ａ）におけるＩＶａ−ＩＶａ断面図に相当する図，（ｂ）は同じくＩＶｂ−ＩＶｂ断面図に相当する図である。
図４（ａ）に示すように，上枠体１２は，断面矩形のワイヤーリング１２ｂと，このワイヤーリング１２ｂをその外側から覆うバイアステープ１２ｃとで構成されており，下枠体１４は，ワイヤーリング１４ｂと，このワイヤーリング１４ｂをその外側から覆うバイアステープ１４ｃとで構成されている。
【００１３】
下枠体１４には，バイアステープ１４ｃとともに，平面視トラック形状をなす底網体１５の縁部１５ａと，側網体１３の下縁部１３ａと，吊り部材１１の下端部１１ａとが逢着されている（逢着部を符号１４ｄで示す）。
上枠体１２には，バイアステープ１２ｃとともに，側網体１３の上縁部１３ｂと，吊り部材１１の対応箇所１１ｂとが逢着されている（逢着部を符号１２ｄで示す）。
【００１４】
ワイヤーリング１２ｂ，１４ｂは，いずれも，バネ性を有する線材の両端部を結合してリング状に構成したものであり，自由状態では平面視で円形となるが，下枠体１４に関しては，平面視トラック形状をなす底網体１５の縁部１５ａに対してバイアステープ１４ｃで逢着される結果として，ワイヤーリング１４ｂは平面視形状が底網体１５の縁部１５ａに倣って平面視トラック形状となる。すなわち，下枠体１４は，平面視トラック形状をなす底網体１５の縁部１５ａに対してバイアステープ１４ｃでワイヤーリング１４ｂを逢着することで平面視トラック形状に構成される。
【００１５】
これに対し，上枠体１２には網体が張られておらず開放されているから，下枠体１４と同様にして上枠体１２をトラック形状に構成することは不可能である。
そこで，この物干し具１０では，上述したように，上枠体１２において平面視で相対向する一対の部位１２ａ同士間に，当該上枠体１２の前記形状を保持しかつ当該上枠体１２における前記線材であるワイヤーリング１２ｂのバネ性で張られる帯体１６を設けることで，上枠体１２をトラック形状に構成してある。
【００１６】
図４（ｂ）に示すように，帯体１６は，その端部１６ａを側網体１３の上縁部１３ｂとともにバイアステープ１２ｃに逢着することで上枠体１２に固定されている。
図１に示すように，帯体１６は，ベルト部１６ｂと，輪部１６ｃとを有しており，ベルト部１６ｂの先端には，輪部１６ｃに掛け止め可能な掛け留め具１７が設けられている。
したがって，載置部Ａ１に干し物を載置する際には，掛け留め具１７を外して載置することができ，載置した後，掛け留め具１７を輪部１６ｃに掛けて，帯体１６で干し物を押さえることができる。
【００１７】
掛け留め具１７を外すと，帯体１６による上枠体１２に対する矯正力が無くなるから，上枠体１２のワイヤーリング１２ｂは平面視で円形になろうとするが，上枠体１２は側網体１３で下枠体１４に連結されており，下枠体１４は上述したように平面視トラック形状に維持されているから，上枠体１２は円形に広がろうとしても，その広がりは下枠体１４により側網体１３を介して規制され，図２（ａ）に仮想線１２’で示すように，側網体１３の幅Ｗ分だけ広がることとなる。
一方，掛け留め具１７を輪部１６ｃに掛けると，帯体１６によって上枠体１２が平面視トラック形状になるとともに，ワイヤーリング１２ｂが上記幅Ｗ分縮んだ分だけワイヤーリング１２ｂによる張力が帯体１６に付与されることとなり，その張力によって，干し物を押さえることができる。
【００１８】
図１〜図３に示すように，掛け留め具１７は吊り部材１１の上端にも取り付けられている。
これによって，吊り部材１１は，後述するように（図６（ａ）参照），角ハンガーのフレームに容易に連結可能な構成となっている。
【００１９】
図５は掛け留め具１７を示す図で，（ａ）は正面図，（ｂ）は側面図，（ｃ）は図（ａ）におけるｃ−ｃ端面図である。
掛け留め具１７は，閉ループ状の下部１７ａと，これと一体の開ループ状の上部１７ｂとを有しており，下部１７ａの長穴１７ａ１に吊り部材１１の上端（あるいは帯体１６のベルト部１６ｂの先端）を通して逢着（図中破線ｈ参照）することによって，吊り部材１１の上端（帯体１６のベルト部１６ｂの先端）に取り付けられている。
また，上部１７ｂの長穴１７ｂ１に対し，その一端の開口部１７ｃから吊り部材１１の下部１１ｃ（図６（ａ）参照）を矢印で示すように通して入れ込むことによって，吊り部材１１の下部に対して着脱可能に連結することが可能である。帯体１６の輪部１６ｃに対しても同様に着脱できる。
【００２０】
したがって，この物干し具１０は，図６（ａ）に示すように，吊り部材１１の上部を角ハンガー２０のフレーム２１に巻き回して，掛け留め具１７の長穴１７ｂ１に吊り部材１１の下部１１ｃを入れ込むことによって，容易に角ハンガー２０に吊して使用することができる。
なお，この物干し具１０には，図３（ｂ）に示すような，上部に掛け留め具１７が取り付けられ，下部に輪部１８ａが形成された延長ベルト１８が４本付属品として添付されており，この延長ベルト１８の輪部１８ａに吊り部材１１の掛け留め具１７を連結することで，吊り部材１１を延長することができるようになっている。
【００２１】
以上のような物干し具によれば，次のような作用効果が得られる。
（ａ）吊り部材１１で吊られる上枠体１２と，この上枠体１２から垂下された側網体１３と，この側網体１３で上枠体１２に連結された下枠体１４と，この下枠体１４の内側に張られた底網体１５とを備え，上枠体１２の上方が開放されているので，上枠体１２と側網体１３と下枠体１４と底網体１５とで形成される凹所（載置部Ａ１）内に，上枠体１２上方の開放部から容易にセーター等（図示せず）を載置することができる。
また，セーター等の載置部Ａ１が，上枠体１２と側網体１３と下枠体１４と底網体１５とで凹状に形成されるので，この物干し具が風等で揺れたとしてもセーター等がすれ落ちにくくなる。
【００２２】
（ｂ）上枠体１２と下枠体１４は，それぞれ平面視で，長円形または角部が湾曲した矩形に構成されるので，下枠体１４の内側に張られた底網体１５の上にセーター等を載置して効率的に干すことができる。
（ｃ）この物干し具１０は，上枠体１２において平面視で相対向する少なくとも一対の部位１２ａ同士間に，当該上枠体１２の前記形状を保持しかつ当該上枠体１２における前記線材１２ｂのバネ性で張られる帯体１６または紐体を設けることで，上枠体１２を長円形または角部が湾曲した矩形に構成してあるので，上枠体１２を長円形または角部が湾曲した矩形に構成することができるばかりでなく，当該上枠体１２が有する線材１２ｄのバネ性を利用して上記帯体１６または紐体に張力を付与し，この張力でもって，セーター等の干し物を押さえることができるという作用効果が得られる。
【００２３】
（ｄ）吊り部材１１は，角ハンガー２０のフレーム２１に連結可能な吊り部材としてあるので，物干し具１０を角ハンガー２０に吊して使用することができる。
そして，この物干し具１０は，平面視で長円形または角部が湾曲した矩形となっているので，例えば図６（ａ）に示すように角ハンガー２０と組み合わせた状態で，効率よく干し物を干すことができるようになる。
【００２４】
すなわち，例えば，上述した従来の物干し具のように平面視円形であると，これをたとえ角ハンガー２０に吊したとしても，角ハンガー２０と物干し具との組み合わせ体を吊す場所は，平面視略矩形の角ハンガー２０と平面視円形の物干し具とのうちいずれか大きい方のものに依存せざるを得なくなり，他方のものにおいて物干し状態が非効率的になる。
これに対し，この物干し具１０は平面視で長円形または角部が湾曲した矩形となっているので，これを角ハンガー２０に吊した際の平面視形状は，角ハンガー２０のそれに略合致することとなる。
したがって，角ハンガー２０と組み合わせた状態で，効率よく干し物を干すことができるようになる。
【００２５】
以上，本発明の実施の形態について説明したが，本発明は上記の実施の形態に限定されるものではなく，本発明の要旨の範囲内において適宜変形実施可能である。
【図面の簡単な説明】
【００２６】
【図１】本発明に係る物干し具の一実施の形態を示す概略斜視図。
【図２】同じく（ａ）は平面図，（ｂ）は正面図，（ｃ）は底面図。
【図３】同じく（ａ）は側面図，（ｂ）は延長ベルトの平面図と正面図と側面図と底面図とを同時に示した図。
【図４】この物干し具の縫製構造を示す概略図で，（ａ）は図２（ａ）におけるＩＶａ−ＩＶａ断面図に相当する図，（ｂ）は同じくＩＶｂ−ＩＶｂ断面図に相当する図。
【図５】掛け留め具を示す図で，（ａ）は正面図，（ｂ）は側面図，（ｃ）は図（ａ）におけるｃ−ｃ端面図。
【図６】（ａ）は角ハンガーに吊した使用状態図，（ｂ）は上枠体１２および下枠体１４の他の例を示す平面図。
【符号の説明】
【００２７】
１０    物干し具
１１    吊り部材
１２    上枠体
１２ｂ  線材
１３    側網体
１４    下枠体
１４ｂ  線材
１５    底網体
１６    帯体
２０    角ハンガー
２１    のフレーム
【図１】
2006230835.tif 000003
【図２】
2006230835.tif 000004
【図３】
2006230835.tif 000005
【図４】
2006230835.tif 000006
【図５】
2006230835.tif 000007
【図６】
2006230835.tif 000008